(57)【要約】【課題】酸化手段の異常，すなわち原水中の鉄分が酸化されなくなったことを検出する。【解決手段】除鉄手段２に原水ライン３と処理水ライン４とを接続し、前記原水ライン３に原水中の鉄分の酸化手段８を設けた除鉄システム１であって、前記酸化手段８よりも下流側を流れる原水の濁度または色度の水質検出手段１０と、この水質検出手段１０の検出結果に基づいて、前記酸化手段８が正常か否かを判定する判定手段１９とを備えたことを特徴とする。【選択図】図１
2007237106.tif 000002
【特許請求の範囲】
【請求項１】
除鉄手段に原水ラインと処理水ラインとを接続し、前記原水ラインに原水中の鉄分の酸化手段を設けた除鉄システムであって、
前記酸化手段よりも下流側を流れる原水の濁度または色度の水質検出手段と、この水質検出手段の検出結果に基づいて、前記酸化手段が正常か否かを判定する判定手段とを備えたことを特徴とする除鉄システム。
【請求項２】
除鉄手段に原水ラインと処理水ラインとを接続し、前記原水ラインに原水中の鉄分の酸化手段を設けた除鉄システムの異常監視方法であって、
前記酸化手段よりも下流側を流れる原水の濁度または色度を検出し、この検出結果に基づいて、前記酸化手段が正常か否かを判定することを特徴とする除鉄システムの異常監視方法。
【発明の詳細な説明】
【技術分野】
【０００１】
この発明は、原水中の鉄分を除去する除鉄システムおよびその異常監視方法に関する。
【背景技術】
【０００２】
除鉄システムは、たとえば地下水などに含まれる鉄分を除去して得られた水を上水や中水などとして供給するものであり、除鉄手段に原水ラインと処理水ラインとが接続され、前記原水ラインに原水の酸化手段が設けられている（たとえば、特許文献１参照）。
【０００３】
前記酸化手段は、たとえば次亜塩素酸ナトリウムなどの酸化剤を原水へ添加し原水中の鉄分を酸化するものである。また、前記除鉄手段は、アンスラサイト，濾過砂などの濾材から形成された濾材層によって濾過を行うものである。そして、前記酸化手段によって添加された前記酸化剤により原水中の鉄分が酸化されて不溶性の水酸化第二鉄（Ｆｅ（ＯＨ）３）となり、この水酸化第二鉄が前記濾材層によって捕捉され除去される。
【特許文献１】特開平９−２３９３６１号公報
【発明の開示】
【発明が解決しようとする課題】
【０００４】
しかし、たとえば前記酸化手段に貯留されている前記酸化剤がなくなったり、前記酸化剤を添加するための薬注ポンプが故障したりするなど、前記酸化手段に異常が生じて原水へ前記酸化剤が添加されなくなると、原水中の鉄分が酸化されなくなるため、前記濾材層によって鉄分を除去することができなくなり、処理水の水質が悪化する。
【０００５】
この発明は、このような事情に鑑みてなされたものであり、その解決しようとする課題は、酸化手段の異常，すなわち原水中の鉄分が酸化されなくなったことを検出することである。
【課題を解決するための手段】
【０００６】
この発明は、前記課題を解決するためになされたもので、請求項１に記載の発明は、除鉄手段に原水ラインと処理水ラインとを接続し、前記原水ラインに原水中の鉄分の酸化手段を設けた除鉄システムであって、前記酸化手段よりも下流側を流れる原水の濁度または色度の水質検出手段と、この水質検出手段の検出結果に基づいて、前記酸化手段が正常か否かを判定する判定手段とを備えたことを特徴とする。
【０００７】
請求項１に記載の発明では、前記酸化手段が正常に機能して原水中の鉄分が酸化されているときは、前記酸化手段よりも下流側を流れる原水の濁度または色度は、不溶性の水酸化第二鉄によって所定の濁度または色度以上となる。一方、前記酸化手段に異常が生じて原水中の鉄分が酸化されなくなったときは、前記酸化手段よりも下流側を流れる原水の濁度または色度が低くなる。したがって、前記水質検出手段の検出値が所定濁度または所定色度以上となっているとき、前記判定手段は前記酸化手段が正常であると判定し、一方で前記水質検出手段の検出値が所定濁度または所定色度を下回ったとき、前記判定手段は前記酸化手段が異常であると判定する。
【０００８】
さらに、請求項２に記載の発明は、除鉄手段に原水ラインと処理水ラインとを接続し、前記原水ラインに原水中の鉄分の酸化手段を設けた除鉄システムの異常監視方法であって、前記酸化手段よりも下流側を流れる原水の濁度または色度を検出し、この検出結果に基づいて、前記酸化手段が正常か否かを判定することを特徴とする。
【０００９】
請求項２に記載の発明では、前記酸化手段が正常に機能して原水中の鉄分が酸化されているときは、前記酸化手段よりも下流側を流れる原水の濁度または色度は、不溶性の水酸化第二鉄によって所定の濁度または色度以上となる。一方、前記酸化手段に異常が生じて原水中の鉄分が酸化されなくなったときは、前記酸化手段よりも下流側を流れる原水の濁度または色度が低くなる。したがって、前記酸化手段よりも下流側を流れる原水の濁度または色度を検出し、その検出値が所定濁度または所定色度以上となっているとき、前記酸化手段が正常であると判定し、一方で検出値が所定濁度または所定色度を下回ったとき、前記酸化手段が異常であると判定する。
【発明の効果】
【００１０】
この発明によれば、前記酸化手段よりも下流側を流れる原水の濁度または色度を検出することにより、前記酸化手段の異常，すなわち原水中の鉄分が酸化されなくなったことを検出することができる。
【発明を実施するための最良の形態】
【００１１】
つぎに、この発明の実施の形態について図面に基づいて詳細に説明する。図１は、この発明に係る除鉄システムの実施の形態の一例の構成を示す概略的な説明図である。
【００１２】
図１に示す除鉄システム１は、除鉄手段２とこの除鉄手段２へ原水を供給する原水ライン３と前記除鉄手段２からの処理水を採取する処理水ライン４とを備えている。
【００１３】
前記除鉄手段２は、アンスラサイト，濾過砂などの濾材（図示省略）から形成された濾材層（図示省略）によって濾過を行う塔式の除鉄部５と、コントロールバルブ６とを備えている。ここにおいて、前記除鉄手段２は、前記濾材層中にマンガンゼオライトなどを加えることで、除マンガン能力を備えていてもよい。
【００１４】
前記コントロールバルブ６には、前記原水ライン３と前記処理水ライン４とが接続されており、前記コントロールバルブ６を介して前記除鉄部５へ供給された原水が濾過されてこれに含まれる鉄分が除去され、この水が前記コントロールバルブ６を介して前記処理水ライン４へ流れるようになっている。
【００１５】
前記原水ライン３には、原水供給ポンプ７が設けられており、さらにこの原水供給ポンプ７の下流側には、酸化手段８，凝集剤添加手段９，水質検出手段１０がこの順で接続されている。
【００１６】
前記酸化手段８は、第一薬注ライン１１を介して前記原水ライン３と接続された酸化剤貯留部１２を備えている。前記酸化剤貯留部１２には、酸化剤として次亜塩素酸ナトリウムが貯留されており、この次亜塩素酸ナトリウムは、前記第一薬注ライン１１に設けられた第一薬注ポンプ１３によって、前記原水ライン３へ添加されるようになっている。
【００１７】
前記凝集剤添加手段９は、第二薬注ライン１４を介して前記原水ライン３と接続された凝集剤貯留部１５を備えている。前記凝集剤貯留部１５に貯留されている凝集剤は、前記第二薬注ライン１４に設けられた第二薬注ポンプ１６によって、前記原水ライン３へ添加されるようになっている。
【００１８】
前記水質検出手段１０は、前記酸化手段８よりも下流側を流れる原水の濁度または色度を検出するものであり、試料液導入ライン１７を介して原水ライン３と接続されている。前記水質検出手段１０は、たとえば特願２００５−３４７４０５号に記載された光学計測装置である。前記光学計測装置は、その詳細構成については図示省略するが、測定セルに設けられた測定室内の試料液へ発光素子からの光を第一導光部を通じて照射するとともに、試料液からの光を第二導光部を通じて受光素子で検出する光学計測装置であって、前記測定セルに形成され、試料液を前記測定室へ導入し，あるいは前記測定室から導出する流路部と、前記測定セルに装着され、前記流路部を開閉する流通制御部と、前記測定セルと接続され、前記測定室と連通するフィルタ部とを備えて構成されている。このように構成することで、試料液の採取機構および前記各導光部における光透過窓を洗浄するための清浄液の生成機構が一体化されたコンパクトな光学計測装置を実現することができ、また清浄液の供給圧力を低下させることなく、ノズル洗浄を行うことのできる光学計測装置を実現することができるようになっている。そして、この結果、現場への取り付けやメンテナンスなどを短時間で行うことができ、さらには前記光透過窓に付着した汚れ成分を効果的に除去して所定の測定濃度を維持することができるようになっている。
【００１９】
前記水質検出手段１０には、信号線１８を介して判定手段１９が接続されている。この判定手段１９は、前記水質検出手段１０から前記信号線１８を介して入力された検出結果に基づいて、前記酸化手段８が正常か否かを判定するようになっている。具体的には、前記判定手段１９は、前記水質検出手段１０の検出値が所定濁度または所定色度以上となっているとき、前記酸化手段８が正常であると判定し、一方で前記水質検出手段１０の検出値が所定濁度または所定色度を下回ったとき、前記酸化手段８が異常であると判定するようになっている。ここで、前記除鉄システム１は、前記判定手段１９によって前記酸化手段８が異常であると判定されたとき、警報を発する警報手段（図示省略）を備えていてもよい。
【００２０】
前記処理水ライン４の下流側には、水位センサ２０を備えた処理水貯留部２１が接続されている。また、前記処理水貯留部２１には、処理水配給ライン２２が接続されている。
【００２１】
さて、前記除鉄システム１では、前記水位センサ２０により、前記処理水貯留部２１内の水位が所定水位以下となったことが検出されたとき、前記原水供給ポンプ７を作動させて前記除鉄手段２へ原水を供給する。このとき、前記第一薬注ポンプ１３と前記第二薬注ポンプ１６により、前記酸化剤貯留部１２内の前記次亜塩素酸ナトリウムと前記凝集剤貯留部１５内の前記凝集剤とを、前記原水ライン３へ添加する。
【００２２】
前記原水ライン３へ前記次亜塩素酸ナトリウムを添加すると、原水中の鉄分が酸化されて不溶性の水酸化第二鉄となる。そして、前記凝集剤によって水酸化第二鉄が凝集された原水が、前記コントロールバルブ６を介して前記除鉄部５へ流入すると、前記濾材層（図示省略）によって水酸化第二鉄が捕捉されて除去され、この水が前記コントロールバルブ６を介して前記処理水ライン４へ流出する。前記処理水ライン４へ流出した処理水は、前記処理水貯留部２１に貯留される。
【００２３】
前記除鉄システム１の運転時には、前記水質検出手段１０によって濁度または色度の検出を行い、その検出結果は前記信号線１８を介して前記判定手段１９へ入力される。前記判定手段１９では、入力された検出結果に基づいて、前記酸化手段８が正常か否かを判定する。具体的には、前記判定手段１９は、前記水質検出手段１０の検出値が、所定濁度または所定色度以上となっているとき、前記酸化手段８が正常であると判定し、一方で前記水質検出手段１０の検出値が所定濁度または所定色度を下回ったとき、前記酸化手段８が異常であると判定する。
【００２４】
前記除鉄システム１によれば、前記酸化手段８よりも下流側を流れる原水の濁度または色度を検出することにより、前記酸化手段８の異常，すなわち原水中の鉄分が酸化されなくなったことを検出することができる。
【００２５】
この発明は、前記実施形態に限られるものでないことはもちろんであり、この発明の主旨を変更しない範囲で種々変更実施可能である。
【図面の簡単な説明】
【００２６】
【図１】この発明に係る除鉄システムの実施の形態の一例の構成を示す概略的な説明図である。
【符号の説明】
【００２７】
１  除鉄システム
２  除鉄手段
３  原水ライン
４  処理水ライン
８  酸化手段
１０  水質検出手段
１９  判定手段
【図１】
2007237106.tif 000003